【手続補正書】
【提出日】平成15年12月9日(2003.12.9)
【手続補正１】
【補正対象書類名】明細書
【補正対象項目名】発明の名称
【補正方法】変更
【補正の内容】
【発明の名称】映像品質評価支援装置、及び映像品質評価支援プログラム


【手続補正２】
【補正対象書類名】明細書
【補正対象項目名】特許請求の範囲
【補正方法】変更
【補正の内容】
【特許請求の範囲】
【請求項１】
映像信号を符号化した符号化映像信号に含まれる符号化情報を可視化することで、前記符号化映像信号を復号したときの映像信号の品質評価を支援する映像品質評価支援装置であって、
前記符号化映像信号から前記符号化情報を抽出する符号化情報抽出手段と、
前記符号化映像信号を復号する映像復号手段と、
前記符号化情報に含まれる前記映像信号の特定のブロック領域毎に設定される量子化のレベルを示す量子化スケールを、その量子化スケールの値に基づいて色分けした色情報に変換する量子化スケール色情報変換手段と、
この量子化スケール色情報変換手段で変換された前記ブロック領域毎の色情報を、前記映像復号手段によって復号された前記映像信号の前記ブロック領域に対応する映像領域に合成する映像合成手段と、
を備えていることを特徴とする映像品質評価支援装置。
【請求項２】
前記符号化情報に含まれる前記映像信号の周波数成分毎に設定される量子化のレベルを示す量子化マトリクスを、その量子化マトリクスの値に基づいて色分けした色情報に変換してグラフ化する量子化マトリクスグラフ化手段、
を備えていることを特徴とする請求項１に記載の映像品質評価支援装置。
【請求項３】
映像信号を符号化した符号化映像信号に含まれる符号化情報を可視化することで、前記符号化映像信号を復号したときの映像信号の品質評価を支援する映像品質評価支援装置であって、
前記符号化映像信号から前記符号化情報を抽出する符号化情報抽出手段と、
この符号化情報抽出手段によって抽出された前記符号化情報に基づいて、動きベクトルによって予測されたブロック領域の位置を、前記映像信号の各画面における相対位置としてグラフ化する動きベクトル位置グラフ化手段と、
を備えていることを特徴とする映像品質評価支援装置。
【請求項４】
映像信号を符号化した符号化映像信号に含まれる符号化情報を可視化することで、前記符号化映像信号を復号したときの映像信号の品質評価を支援する映像品質評価支援装置であって、
前記符号化映像信号から前記符号化情報を抽出する符号化情報抽出手段と、
この符号化情報抽出手段によって抽出された前記符号化情報に基づいて、前記映像信号の各画面における特定のブロック領域毎の動きベクトルによって予測された領域の動きベクトル符号量を算出する動きベクトル符号量算出手段と、
前記符号化情報抽出手段によって抽出された前記符号化情報に基づいて、直交変換によって符号化された領域の直交変換符号量を算出する直交変換符号量算出手段と、
前記動きベクトル符号量と、前記直交変換符号量とを対比してグラフ化する符号量グラフ化手段と、
を備えていることを特徴とする映像品質評価支援装置。
【請求項５】
映像信号を符号化した符号化映像信号に含まれる符号化情報を可視化することで、前記符号化映像信号を復号したときの映像信号の品質評価を支援するために、コンピュータを、
前記符号化映像信号から前記符号化情報を抽出する符号化情報抽出手段、
前記符号化映像信号を復号する映像復号手段、
前記符号化情報に含まれる前記映像信号の特定のブロック領域毎に設定される量子化のレベルを示す量子化スケールを、その量子化スケールの値に基づいて色分けした色情報に変換する量子化スケール色情報変換手段、
この量子化スケール色情報変換手段で変換された前記ブロック領域毎の色情報を、前記映像復号手段によって復号された前記映像信号の前記ブロック領域に対応する映像領域に合成する映像合成手段、
として機能させることを特徴とする映像品質評価支援プログラム。
【請求項６】
前記符号化情報に含まれる前記映像信号の周波数成分毎に設定される量子化のレベルを示す量子化マトリクスを、その量子化マトリクスの値に基づいて色分けした色情報に変換してグラフ化する量子化マトリクスグラフ化手段、
として機能させることを特徴とする請求項５に記載の映像品質評価支援プログラム。
【請求項７】
映像信号を符号化した符号化映像信号に含まれる符号化情報を可視化することで、前記符号化映像信号を復号したときの映像信号の品質評価を支援するために、コンピュータを、
前記符号化映像信号から前記符号化情報を抽出する符号化情報抽出手段、
この符号化情報抽出手段によって抽出された前記符号化情報に基づいて、動きベクトルによって予測されたブロック領域の位置を、前記映像信号の各画面における相対位置としてグラフ化する動きベクトル位置グラフ化手段、
として機能させることを特徴とする映像品質評価支援プログラム。
【請求項８】
映像信号を符号化した符号化映像信号に含まれる符号化情報を可視化することで、前記符号化映像信号を復号したときの映像信号の品質評価を支援するために、コンピュータを、
前記符号化映像信号から前記符号化情報を抽出する符号化情報抽出手段、
この符号化情報抽出手段によって抽出された前記符号化情報に基づいて、前記映像信号の各画面における特定のブロック領域毎の動きベクトルによって予測された領域の動きベクトル符号量を算出する動きベクトル符号量算出手段、
前記符号化情報抽出手段によって抽出された前記符号化情報に基づいて、直交変換によって符号化された領域の直交変換符号量を算出する直交変換符号量算出手段、
前記動きベクトル符号量と、前記直交変換符号量とを対比してグラフ化する符号量グラフ化手段、
として機能させることを特徴とする映像品質評価支援プログラム。
【手続補正３】
【補正対象書類名】明細書
【補正対象項目名】０００１
【補正方法】変更
【補正の内容】
【０００１】
【発明の属する技術分野】
本発明は、符号化されたデジタル映像信号の品質を評価する品質評価技術に関し、より詳細には、符号化されたデジタル映像信号に含まれる符号化情報を可視化することで、映像信号の品質評価を支援する映像品質評価支援装置、及び映像品質評価支援プログラムに関する。


【手続補正４】
【補正対象書類名】明細書
【補正対象項目名】０００４
【補正方法】変更
【補正の内容】
【０００４】
本発明は、以上のような問題点に鑑みてなされたものであり、デジタル映像信号の品質評価を、人間が映像を見て評価を行う主観評価と、デジタル映像を符号化した符号化映像の情報を視覚化して評価を行う客観評価とを対応付けて行い、品質異常の原因を速やかに特定することを可能にした映像品質評価支援装置、及び映像品質評価支援プログラムを提供することを目的とする。


【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
また、請求項５に記載の映像品質評価支援プログラムは、映像信号を符号化した符号化映像信号に含まれる符号化情報を可視化することで、符号化映像信号を復号したときの映像信号の品質評価を支援するために、コンピュータを、符号化映像信号から符号化情報を抽出する符号化情報抽出手段、符号化映像信号を復号する映像復号手段、符号化情報に含まれる映像信号の特定のブロック領域毎に設定される量子化のレベルを示す量子化スケールを、その量子化スケールの値に基づいて色分けした色情報に変換する量子化スケール色情報変換手段、この量子化スケール色情報変換手段で変換されたブロック領域毎の色情報を、映像復号手段によって復号された前記映像信号の前記ブロック領域に対応する映像領域に合成する映像合成手段、として機能させることを特徴とする。


【手続補正１２】
【補正対象書類名】明細書
【補正対象項目名】００２５
【補正方法】変更
【補正の内容】
【００２５】
さらに、請求項６に記載の映像品質評価支援プログラムは、請求項５に記載の映像品質評価支援プログラムを、さらに符号化情報に含まれる映像信号の周波数成分毎に設定される量子化のレベルを示す量子化マトリクスを、その量子化マトリクスの値に基づいて色分けした色情報に変換してグラフ化する量子化マトリクスグラフ化手段、として機能させることを特徴とする。


【手続補正１３】
【補正対象書類名】明細書
【補正対象項目名】００２７
【補正方法】変更
【補正の内容】
【００２７】
さらにまた、請求項７に記載の映像品質評価支援プログラムは、映像信号を符号化した符号化映像信号に含まれる符号化情報を可視化することで、符号化映像信号を復号したときの映像信号の品質評価を支援するために、コンピュータを、符号化映像信号から符号化情報を抽出する符号化情報抽出手段、この符号化情報抽出手段によって抽出された符号化情報に基づいて、動きベクトルによって予測されたブロック領域の位置を、映像信号の各画面における相対位置としてグラフ化する動きベクトル位置グラフ化手段、として機能させることを特徴とする。


【手続補正１４】
【補正対象書類名】明細書
【補正対象項目名】００２９
【補正方法】変更
【補正の内容】
【００２９】
また、請求項８に記載の映像品質評価支援プログラムは、映像信号を符号化した符号化映像信号に含まれる符号化情報を可視化することで、符号化映像信号を復号したときの映像信号の品質評価を支援するために、コンピュータを、符号化映像信号から符号化情報を抽出する符号化情報抽出手段、この符号化情報抽出手段によって抽出された符号化情報に基づいて、映像信号の各画面における特定のブロック領域毎の動きベクトルによって予測された領域の動きベクトル符号量を算出する動きベクトル符号量算出手段、符号化情報抽出手段によって抽出された符号化情報に基づいて、直交変換によって符号化された領域の直交変換符号量を算出する直交変換符号量算出手段、動きベクトル符号量と、直交変換符号量とを対比してグラフ化する符号量グラフ化手段、として機能させることを特徴とする。


【手続補正１５】
【補正対象書類名】明細書
【補正対象項目名】００７９
【補正方法】変更
【補正の内容】
【００７９】
【発明の効果】
以上説明したとおり、本発明に係る映像品質評価支援装置、及び映像品質評価支援プログラムでは、以下に示す優れた効果を奏する。


【手続補正１６】
【補正対象書類名】明細書
【補正対象項目名】００８０
【補正方法】変更
【補正の内容】
【００８０】
請求項１又は請求項５に記載の発明によれば、映像信号を符号化した符号化映像信号を再生するときに、映像信号の特定のブロック領域毎に設定される量子化のレベルを示す量子化スケールを色分けして表示させることができるので、画質劣化が発生しているときに、画面上のどこで量子化を多く行って画質劣化を発生させているかを、視覚的に確認することができる。これによって画質劣化の要因を特定する支援を行うことが可能になる。


【手続補正１７】
【補正対象書類名】明細書
【補正対象項目名】００８１
【補正方法】変更
【補正の内容】
【００８１】
請求項２又は請求項６に記載の発明によれば、映像信号を符号化した符号化映像信号を再生するときに、周波数成分毎の量子化のレベルを示す量子化マトリクスを色分けして表示させることができるので、画質劣化が発生しているときに、どの周波数成分が特に劣化しているかを、視覚的に確認することができる。これによって画質劣化の要因を特定する支援を行うことが可能になる。


【手続補正１８】
【補正対象書類名】明細書
【補正対象項目名】００８２
【補正方法】変更
【補正の内容】
【００８２】
請求項３又は請求項７に記載の発明によれば、映像信号を符号化した符号化映像信号を再生するときに、画面内のマクロブロック毎に探索された動きベクトルが、実際の映像の動きとどの程度一致しているかを視覚的に確認することができる。これによって、映像内でブロック状に劣化が発生している場合に、その劣化と動きベクトルの検出範囲との関係を視覚化することで、画質劣化の要因を特定する支援を行うことができる。さらに、ＭＰＥＧ２のような動き補償予測によって符号化を行う符号化方式において、計算量のほとんどを占める動き探索のアルゴリズムの良否を判定することができる。


【手続補正１９】
【補正対象書類名】明細書
【補正対象項目名】００８３
【補正方法】変更
【補正の内容】
【００８３】
請求項４又は請求項８に記載の発明によれば、映像信号を符号化した符号化映像信号において、動きベクトルによって予測された領域の動きベクトル符号量と、直交変換によって符号化された領域の直交変換符号量との消費ビットの割合を視覚化して提示することが可能になる。これによって、実際の映像の動きと消費ビットの割合から画質劣化の要因を特定する支援を行うことが可能になる。